(57)【要約】      （修正有）【課題】卓上ホルダにセットした携帯型電子機器の表示画面を見ているときにも、片手でメモリーカードの着脱が可能な携帯型電子機器を提供する。【解決手段】矩形状の表示画面２０を有する携帯型電子機器１の表示画面２０が設けられた面と交差するいずれか１つの端面に充電用端子が設けられ、充電用端子が設けられた端面と反対側の端面にメモリーカードスロット３０ａが設けられているので、充電用端子が設けられた端面を下にかつ表示画面２０を前面に配置して携帯型電子機器１を卓上ホルダ５０の上にセットすることで、メモリーカードスロット３０ａが設けられた端面が表示画面２０の上部に配置される。したがってメモリーカードを上から押し入れるときの反力を下の卓上ホルダ５０から得られ、表示画面を見ながら片手でメモリーカードの着脱をすることができる。【選択図】図６
2007194849.tif 000002
【特許請求の範囲】
【請求項１】
矩形状の表示画面を有する携帯型電子機器において、
前記表示画面が設けられた面と交差するいずれか１つの端面に充電用端子が設けられ、
前記充電用端子が設けられた端面と反対側の端面にメモリーカードスロットが設けられたことを特徴とする携帯型電子機器。
【発明の詳細な説明】
【技術分野】
【０００１】
本発明は、携帯電話機等の携帯型電子機器に関する。
【背景技術】
【０００２】
従来の携帯型電子機器では、下端部に充電用端子を設けるとともに、側面部にメモリーカードスロットを設ける構成が一般的であった。例えば、特許文献１には、充電用端子が下端部に設けられ、メモリーカードスロットが側面部に設けられた携帯電話機が記載されている。
【特許文献１】２００３−１８２６２号公報
【発明の開示】
【発明が解決しようとする課題】
【０００３】
ところで、近年、テレビ機能を有する携帯電話機が開発されている。このような携帯電話機は、大きな表示画面を有し、手に持った状態や充電台やクレードルのような卓上ホルダにセットした状態でのテレビ視聴が可能である。
【０００４】
下端部に充電用端子を有し側面部にメモリーカードスロットを有する携帯電話機を卓上ホルダにセットすると、側面部のメモリーカードスロットからメモリーカードを出し入れすることになる。しかし、メモリーカードスロットにメモリーカードを挿入するときには、メモリーカードを押す力により携帯電話機も押されるため、携帯電話機が卓上ホルダ上から動いてしまう。このため、携帯電話機が卓上ホルダ上から動かないように反対側の側面部を押さえなければならず、表示画面を見ることに集中できないという問題があった。
【０００５】
本発明の課題は、卓上ホルダにセットした携帯型電子機器の表示画面を見ているときにも、片手でメモリーカードの着脱が可能な携帯型電子機器を提供することである。
【課題を解決するための手段】
【０００６】
以上の課題を解決するため、請求項１に記載の発明は、矩形状の表示画面を有する携帯型電子機器において、前記表示画面が設けられた面と交差するいずれか１つの端面に充電用端子が設けられ、前記充電用端子が設けられた端面と反対側の端面にメモリーカードスロットが設けられたことを特徴とする。
【発明の効果】
【０００７】
本発明によれば、表示画面が設けられた面と交差するいずれか１つの端面に充電用端子が設けられ、充電用端子が設けられた端面と反対側の端面にメモリーカードスロットが設けられているので、充電用端子が設けられた端面を下にかつ表示画面を前面に配置して携帯型電子機器を卓上ホルダの上にセットすることで、メモリーカードスロットが設けられた端面が表示画面の上部に配置される。したがってメモリーカードを上から押し入れるときの反力を下のクレードルから得られ、表示画面を見ながら片手でメモリーカードの着脱をすることができる。
【発明を実施するための最良の形態】
【０００８】
以下、本発明の実施形態を、携帯端末機を例に挙げて詳細に説明する。
図１は本発明の実施形態に係る携帯端末機１の開いた状態を示す図であり、（ａ）は正面図、（ｂ）は背面図である。携帯端末機１は、折り畳み式の携帯端末機（より具体的には、折り畳み式の携帯電話機）であり、操作部筐体５と、表示部筐体６と、ヒンジ部筐体７とから概略構成されている。
【０００９】
操作部筐体５は、上端部でヒンジ部筐体７と接続されており、表示部筐体６は、下端部でヒンジ部筐体７と接続されている。
操作部筐体５の前面には、キー操作部８、マイク９が設けられている。
操作部筐体５の背面には、中央部にカメラ１０が設けられている。また、カメラ１０の左右には凹部１１，１２が形成されており、右側の凹部１１には照明用ライト部１３、左側の凹部１２には赤外線通信用のポート１４が形成されている。左側の凹部１２には後述するクレードル５０のロック爪７０が嵌合する。
また、操作部筐体５の背面の下部には、左右にネジ穴１５，１６が設けられている。左側のネジ穴１６には後述するクレードル５０のロック爪７１が嵌合する。
【００１０】
ヒンジ部筐体７と、操作部筐体５の上端とは、ヒンジ部筐体７の内部に左右方向に配置された図示しない第１回転ヒンジにより接続されており、ヒンジ部筐体７は操作部筐体５に対して第１回転軸Ａ１を中心に回転可能とされている。また、ヒンジ部筐体７と表示部筐体６の下端とは、ヒンジ部筐体７の内部に上下方向に配置された図示しない第２回転ヒンジにより接続されており、表示部筐体６がヒンジ部筐体７に対して第２回転軸Ａ２を中心に回転可能とされている。
ヒンジ部筐体７の背面には、ステレオスピーカ１７が設けられている。
【００１１】
表示部筐体６の一方の面には、表示画面２０、通話用スピーカ２１が設けられている。なお、図１では、表示部筐体６の表示画面２０及び通話用スピーカ２１が設けられた面（以下、表示面という）が正面に向けられている。
【００１２】
図１の状態から、表示部筐体６及びヒンジ部筐体７を操作部筐体５に対して第１回転軸Ａ１を中心に１８０°回転させることで、操作部筐体５の正面側に表示部筐体６を重ねることができる。この場合、表示部筐体６の表示面と操作部筐体５のキー操作部８とが対向配置される。
【００１３】
また、図１の状態から、表示部筐体６をヒンジ部筐体７に対して第２回転軸Ａ２を中心に１８０°回転させた後、表示部筐体６及びヒンジ部筐体７を操作部筐体５に対して第１回転軸Ａ１を中心に１８０°回転させることで、表示部筐体６の表示面が正面に配置されるように操作部筐体５の正面側に表示部筐体６を重ねることができる。この場合、表示部筐体６の表示面と反対側の面と、操作部筐体５のキー操作部８とが対向配置される。
【００１４】
図２は表示部筐体６の表示面が正面に配置されるように操作部筐体５の正面側に表示部筐体６を重ねた状態の携帯端末機１を示す図であり、（ａ）は右側面図、（ｂ）は左側面図である。
図２の状態において、表示部筐体６の右側面に４つのサイドキー２２，２３，２４，２５が設けられている。サイドキー２２はマナーモードの設定及び解除を行うマナーキー、サイドキー２３はキー操作部８に設けられる決定キーと同様の機能、すなわち、メインメニューの呼び出しや、十字キーにより選択されたメニューや機能の確定などを行うキー、サイドキー２４はＴＶモードを起動するＴＶキー、サイドキー２５はキー操作部８に設けられる十字キーのうち上キーと下キーと同様の機能を有するキーで、ＴＶモード時には音量調整を行うキーである。なお、図１の状態においては、表示部筐体６のサイドキーが設けられた部分が左側に配置されている。
【００１５】
操作部筐体５の右側面には、上下方向の中央部に、スロットカバー３０が設けられている。スロットカバー３０は後述するメモリーカードスロット３０ａ（図６参照）を塞いでいる。
また、スロットカバー３０よりも下部には、２つのサイドキー３１，３２が設けられている。サイドキー３１はキー操作部８に設けられる十字キーのうち左キーと右キーと同様の機能を有するキーで、ＴＶモード時にはチャネルシフトを行うキー、サイドキー３２はカメラのシャッターキーである。
また、スロットカバー３０よりも背面寄りの部分には、上下方向にテレビ用アンテナ３３が収納されている。なお、携帯端末機１はテレビチューナーやラジオチューナーを内蔵しており、テレビ画像を表示画面２０に表示させ、テレビやラジオの音声をステレオスピーカより出力させることができる。
【００１６】
操作部筐体５の左側面には、上下方向の中央部の背面寄りに、上下２つの充電用端子４１が設けられている。また、充電用端子４１よりも上部にイヤホン端子キャップ４３が、充電用端子４１よりも下部に外部接続端子キャップ４４が設けられている。イヤホン端子キャップ４３は図示しない平型ステレオイヤホン端子を塞ぎ、外部接続端子キャップ４４は図示しない外部接続端子を塞いでいる。
【００１７】
次に、携帯端末機１がセットされる卓上ホルダ５０について説明する。図３は卓上ホルダ５０を右前方斜め上方向から見た斜視図であり、図４は卓上ホルダ５０を右前方斜め下方向から見た斜視図である。また、図５〜図７は図２の状態の携帯端末機１を卓上ホルダ５０にセットしたものを示す図であり、図５は右斜め前方向から見た斜視図、図６は右前方斜め上方向から見た斜視図であり、図７は前方斜め下方向から見た斜視図である。
【００１８】
図３，図４に示すように、卓上ホルダ５０は、ホルダ部６０と、ホルダ部６０を支持するスタンド部８０とからなる。
ホルダ部６０の前面の下部には、左右に保持部６１，６２が設けられている。右側の保持部６１はホルダ部６０の前面の右端下部から右方向に突出し、さらに操作部筐体５の厚さ分前方に突出している。同様に、左側の保持部６２はホルダ部６０の前面の左端下部から左方向に突出し、さらに操作部筐体５の厚さ分前方に突出している。
各保持部６１，６２の前端には、背面で操作部筐体５の前面と当接する爪部６３，６４が設けられている。
【００１９】
右側の保持部６１は操作部筐体５の左下端部の形状に沿った湾曲形状となっている。また、左側の保持部６２は操作部筐体５の左上端部の形状に沿った湾曲形状となっている。左右の保持部６１，６２の間隔は、操作部筐体５の上下方向の長さにほぼ等しい。右側の保持部６１が操作部筐体５の左下端部を保持し、左側の保持部６２が操作部筐体５の左上端部を保持することで、操作部筐体５が左側面を下に向けた状態でホルダ部６０に保持される。
【００２０】
左右の保持部６１，６２の間は、図４に示すように、切欠き部６５となっている。切欠き部６５の位置は、操作部筐体５のイヤホン端子キャップ４３、外部接続端子キャップ４４の位置に対応している。このため、図７に示すように、卓上ホルダ５０に操作部筐体５をセットした状態でイヤホン端子キャップ４３を取り外して平型ステレオイヤホン端子を露出させ、イヤホンケーブル９０に接続することができる。同様に、卓上ホルダ５０に操作部筐体５をセットした状態で外部接続端子キャップ４４を取り外して外部接続端子を露出させ、図示しない外部接続ケーブルによりパソコン等と接続することもできる。
【００２１】
ホルダ部６０の前面の下端部中央は、前方に突出しており、その上面に左右２つの給電端子６６が設けられている。給電端子６６は卓上ホルダ５０にセットされる携帯端末機１の充電用端子４１と当接し、充電用端子４１に電力を供給する。
また、給電端子６６の左右側方には、それぞれスイッチレバー６８，６９が設けられている。２つのスイッチレバー６８，６９が押圧されると、給電端子６６による電力供給が開始される。
卓上ホルダ５０に携帯端末機１の操作部筐体５がセットされると、操作部筐体５の背面により２つのスイッチレバー６８，６９が押圧され、給電端子６６による充電用端子４１への電力供給が開始される。
【００２２】
また、ホルダ部６０の前面には、卓上ホルダ５０にセットされる操作部筐体５の背面の、左側のネジ穴１６、左側の凹部１２と対応する位置に、それぞれロック爪７０、ロック爪７１が設けられている。ロック爪７０が左側のネジ穴１６に係合し、ロック爪７１が左側の凹部１２に係合することで、携帯端末機１が卓上ホルダ５０に固定される。
【００２３】
また、ホルダ部６０の前面には、卓上ホルダ５０にセットされる操作部筐体５の背面のカメラ１０と対応する位置に、凹部７２が形成されている。カメラ１０は図２に示すように、レンズ部が操作部筐体５の背面から突出しているが、ホルダ部６０の前面に凹部７２が形成されているので、卓上ホルダ５０に携帯端末機１の操作部筐体５をセットする際にレンズ部が邪魔にならない。
【００２４】
卓上ホルダ５０に図２の状態の携帯端末機１をセットすると、図５に示すように、表示画面２０が前向きに配置される。このとき、図６に示すように、サイドキー、テレビ用アンテナが上側に配置されるので、サイドキーの操作、テレビ用アンテナの伸縮を容易に行うことができる。
また、スロットカバー３０が上側に配置されるので、図６に示すように、スロットカバー３０を開けてメモリーカードスロット３０ａを露出させることができる。
【００２５】
ここで、メモリーカードスロット３０ａにおけるメモリーカードの出し入れについて説明する。
メモリーカードは、図示しないが、メモリーカードスロット３０ａに挿入した状態で上方から押し入れられることでメモリーカードスロット３０ａ内に読取可能な状態にセットされる。また、メモリーカードスロット３０ａ内に読取可能な状態にセットされたメモリーカードの上端をさらに押すと、内蔵されたバネの反発力によりメモリーカードが排出される。
【００２６】
このように、メモリーカードのメモリーカードスロット３０ａへの出し入れはいずれもメモリーカードを上から押し入れる操作を必要とするが、携帯端末機１の下部に卓上ホルダ５０があるので、メモリーカードを押圧する力に対する反力が下の卓上ホルダ５０より得られる。したがって、メモリーカードを一方の手で上から押し入れるときに他方の手で携帯端末機１を押さえる必要がなく、メモリーカードのメモリーカードスロット３０ａへの出し入れを片手で行うことができる。
【００２７】
なお、図７に示すように、イヤホン端子キャップ４３、外部接続端子キャップ４４が表示画面２０よりも下側の切欠き部６５に配置されるので、平型ステレオイヤホン端子に接続されるイヤホンケーブル９０や、外部接続端子に接続される図示しない外部接続ケーブルが表示画面２０よりも下方で引き回される。このため、イヤホンケーブル９０や外部接続ケーブルが表示画面２０に表示される画像を見る妨げとならない。
【００２８】
以上の実施形態においては、折り畳み式の携帯電話機について説明したが、本発明はこれに限らず、例えばＰＤＡなどの携帯情報端末とその卓上ホルダ５０に本発明を適用してもよい。また、携帯電話機やＰＤＡなどの携帯型電子機器に内蔵のバッテリへの充電は、携帯型電子機器がＵＳＢ端子を備えている場合には、ＵＳＢケーブルを介して行うことができるので、卓上ホルダは、給電用の専用端子に代えてＵＳＢ端子を備えた、所謂クレードルであってもよい。更に、ホルダ部６０の左右の保持部６１，６２の構造等についても適宜変更可能である。
【図面の簡単な説明】
【００２９】
【図１】本発明の実施形態に係る携帯端末機１の開いた状態を示す図であり、（ａ）は正面図、（ｂ）は背面図である。
【図２】表示部筐体６の表示面が正面に配置されるように操作部筐体５の正面側に表示部筐体６を重ねた状態の携帯端末機１を示す図であり、（ａ）は右側面図、（ｂ）は左側面図である。
【図３】卓上ホルダ５０を右前方斜め上方向から見た斜視図である。
【図４】卓上ホルダ５０を右前方斜め下方向から見た斜視図である。
【図５】図２の状態の携帯端末機１を卓上ホルダ５０にセットしたものを示す図であり、右斜め前方向から見た斜視図である。
【図６】同、右前方斜め上方向から見た斜視図である。
【図７】同、前方斜め下方向から見た斜視図である。
【符号の説明】
【００３０】
１     携帯電話機（携帯端末機）
２０   表示画面
４１   充電用端子
３０ａ メモリーカードスロット
５０   卓上ホルダ
【図１】
2007194849.tif 000003
【図２】
2007194849.tif 000004
【図３】
2007194849.tif 000005
【図４】
2007194849.tif 000006
【図５】
2007194849.tif 000007
【図６】
2007194849.tif 000008
【図７】
2007194849.tif 000009